(57)【特許請求の範囲】
【請求項１】
両引き戸方式の自動ドアにおいて、両ドアの上部框の戸先側上部にそれぞれ薄板ステーを他方側へ向けて突設するとともに各薄板ステーの自由端に相対する方向へ湾曲させた逃げ部を形成し、その一方のステーの前面と他方のステーの後面にそれぞれ永久磁石を取り付けて、ドア閉じ動作が終了する直前に前記両ステーが摺動しながら接近し、ドア全閉時に両永久磁石が両ステーを間にして重なり合い、それにより両ステーが磁力により吸着連結されることを特徴とする自動ドアにおけるドア全閉保持装置。
【請求項２】
片引き戸方式の自動ドアにおいて、ドアの上部框の戸先側上部に薄板ステーを上部框から突出しない範囲で縦枠側へ向けて突設するとともに、縦枠には前記ステー側へ向けて突出するステーを突設し、その各薄板ステーの自由端に相対する方向へ湾曲させた逃げ部を形成し、一方のステーの前面と他方のステーの後面にそれぞれ永久磁石を取り付けて、ドア閉じ動作が終了する直前に前記両ステーが摺動しながら接近し、ドア全閉時に両永久磁石が両ステーを間にして重なり合い、それにより両ステーが磁力により吸着連結されることを特徴とする自動ドアにおけるドア全閉保持装置。
【発明の詳細な説明】
【０００１】
【発明の属する技術分野】
本発明は自動ドアにおけるドア全閉保持装置、詳しくは駆動装置によりドアが全閉した状態でその閉じ状態を保持させておく装置に関する。
【０００２】
【従来の技術】
従来の引き戸方式の自動ドアにおいて、ドアが全閉位置に達したときにドア駆動装置の電動機への通電をＯＦＦにすると、ドア閉じ方向の駆動力がなくなるために、駆動装置のベルト（伝達機構）の変形（クセ）や戸先に設けたゴムの弾性によりドアが開き側へ戻り、あるいは縦枠の建付けの悪さ等と相俟って戸先部分と縦枠との間に隙間を生じて気密性が悪くなり、空調効果を低下させるばかりでなく外観を損なう不都合がある。
そのため、上記不都合をなくす対策として、ドアの全閉状態でも駆動装置の電動機に通電を継続させてドアに閉じ側の駆動力を与え続ける、いわゆる「常時押し」という動作を行っていた。
【０００３】
【発明が解決しようとする課題】
しかるに、上記「常時押し」による全閉保持動作によれば、電動機の温度上昇により駆動装置の耐久性に影響を及ぼすとともに、電力の消費量が増えてエネルギー対策上の問題があった。
本発明は、上記従来事情に鑑みその不都合、問題点を解消して、駆動装置の温度上昇を抑制して耐久性を高めるとともにエネルギー消費の節減を図り、しかも構造簡素にして安価なドア全閉保持装置を提供せんとするものである。
【０００４】
【課題を解決するための手段】
斯る本発明のドア全閉保持装置は、ドアの全閉状態を、電力を消費しない永久磁石の磁力によって保持させるようにしたものである。
すなわち、本発明で適用される自動ドアの開閉方式には、両引き戸方式と片引き戸方式があるが、両引き戸方式の場合には、両ドアの上部框の戸先側上部にそれぞれ薄板ステーを他方側へ向けて突設するとともに各薄板ステーの自由端に相対する方向へ湾曲させた逃げ部を形成し、その一方のステーの前面と他方のステーの後面にそれぞれ永久磁石を取り付けて、ドア閉じ動作が終了する直前に前記両ステーが摺動しながら接近し、ドア全閉時に両永久磁石が両ステーを間にして重なり合い、それにより両ステーが磁力により吸着連結されることを特徴とする（請求項１）。また、片引き戸方式の場合には、ドアの上部框の戸先側上部に薄板ステーを上部框から突出しない範囲で縦枠側へ向けて突設するとともに、縦枠には前記ステー側へ向けて突出するステーを突設し、その各薄板ステーの自由端に相対する方向へ湾曲させた逃げ部を形成し、一方のステーの前面と他方のステーの後面にそれぞれ永久磁石を取り付けて、ドア閉じ動作が終了する直前に前記両ステーが摺動しながら接近し、ドア全閉時に両永久磁石が両ステーを間にして重なり合い、それにより両ステーが磁力により吸着連結されることを特徴とする（請求項２）。
【０００６】
【発明の実施の形態】
本発明の実施の形態を図面により説明すれば、図１は自動ドアの配置構成図を示す。
同図１において、符号１，１は出入口両側に起設した縦枠であり、その上面に無目２を配設して門型状の出入口枠が形成され、該枠の開口部にドア部３が開閉可能に設置される。なお、図中のドア部３は、ドア３ａ，３ｂで構成される両引き戸方式の場合を例示する。
上記無目２には、駆動機構４及び制御部５を配設するとともに下端縁にハンガーレール６を敷設し、該レール６にドア３ａ，３ｂの上部框に取り付けたハンガー（懸架部材）７ａ，７ｂの各吊戸車８ａ，８ｂを転動可能に懸架させる。
駆動機構４は、動力源として例示するモータ９、減速機１０、駆動プーリ１１、従動プーリ１２及び伝動ベルト１３等で構成され、そのベルト１３にドア３ａ，３ｂの前記ハンガー７ａ，７ｂ又は他の連結部材が連結され、モータ９が駆動した時にドア３ａ，３ｂを逆向きに移動させてドア部３を開閉動作させる。
【０００７】
図２及び図３は本発明の詳細を示す。
上記各ドア３ａ，３ｂには、その上部框１４ａ，１４ｂにそれぞれ二個のハンガー７ａ，７ａ、７ｂ，７ｂが配設されるが（図１参照）、それらの各戸先側のハンガー７ａ，７ｂにそれぞれ薄板ステー２０ａ，２０ｂをボルト又はネジ止めにより取り付ける。
ステー２０ａ，２０ｂは、金属製の細長薄板、好ましくはステンレス製のバネ材であって、その各一端部をそれぞれ前記ハンガー７ａ，７ｂに取り付けて水平状に配設し、各自由端部をそれぞれ他方のステー７ｂ，７ａに向けて延出させ、各端をドア３ａ，３ｂの上部框１４ａ，１４ｂより若干突出状とする。
【０００８】
ステー２０ａ，２０ｂの各自由端は、相対する方向、すなわち一方を前側へ他方を後側へ僅かに湾曲させた逃げ部２１ａ，２１ｂを形成し（図２（２）参照）、ドア３ａ，３ｂの閉動時に両ステー２０ａ，２０ｂの突き当たりを防いで両ステー２０ａ，２０ｂがスムーズに摺接するようにする。
このステー２０ａ，２０ｂの各自由端部には、相対する側の面、具体的にはステー２０ａの前面とステー２０ｂの後面にそれぞれ永久磁石２２ａ，２２ｂを接着等により固定して取り付ける。
永久磁石２２ａ，２２ｂは、ドア３ａ，３ｂが全閉位置に達したときに前後に重なり合う位置に配置する（図３参照）。
【０００９】
而して、上記自動ドアは、制御部５の制御されるモータ９の駆動によってドア３ａ，３ｂが開閉動作をするが、そのドア閉じ動作が終了する直前で前記ステー２０ａ，２０ｂが摺接しながら永久磁石２２ａ，２２ｂが順次に接近する。
そして、ドア３ａ，３ｂがドア閉じ動作の完了位置に達したドア全閉状態となったときに前記両磁石２２ａ，２２ｂがステー２０ａ，２０ｂを間にして重なり合い、それにより両ステー２０ａ，２０ｂは吸着連結される（図３参照）。
したがって、駆動機構４のモータ９は、ドア全閉状態となったときにその駆動を停止させても、永久磁石２２ａ，２２ｂの磁力によるステー２０ａ，２０ｂの吸着連結によりドア全閉状態が保持される。
なお、次にドア３ａ，３ｂが開き動作する場合には、前記モータ９が永久磁石２２ａ，２２ｂの磁力による保持力よりはるかに強い駆動力で両ステー２０ａ，２０ｂを牽引するので、ドアの開き動作に殆ど影響を及ぼさない。
【００１０】
次に、図４及び図５は自動ドアが片引き戸方式の場合を示す。
この方式の場合、ドア１０３には、その上部框１１４に配設した戸先側のハンガー１０７にステー１２０ｂを取り付け、一方、出入口の縦枠１０１には、ステー１２０ａを前記ステー１２０ｂに対向する位置に配設する。
上記ステー１２０ｂの自由端が上部框１１４の戸先端から突出しないことを除いては、ステー１２０ａ，１２０ｂにそれぞれ逃げ部１２１ａ，１２１ｂを形成し、永久磁石１２２ａ，１２２ｂを有することは、前記ステー２０ａ，２０ｂと同一である。
【００１１】
この片引き戸方式の場合も同様に、ドア１０３がドア閉じ動作の完了位置に達したドア全閉状態となったときに前記両磁石１２２ａ，１２２ｂがステー１２０ａ，１２０ｂを間にして重なり合い、それにより両ステー１２０ａ，１２０ｂは吸着連結され（図５参照）、その状態におけるモータ９の駆動を停止させることができる。
【００１３】
【発明の効果】
本発明によれば、ドアの全閉状態で永久磁石の磁力によりステーを吸着連結して該全閉状態を保持するようにしたので、電動機による従来の「常時押し」と違い電動機の温度上昇を抑制することができ、駆動装置の耐久性を改善することができる。
また、ドアの全閉状態においては電動機に通電しないので、電力消費を減らしてエネルギー消費の節減を図ることができる。
【００１４】
さらに、本発明装置は、前記ステーと永久磁石とによる簡素な構造であり、しかも前記ステーをドアの懸架部材（ハンガー）に取り付ける構造とすることによれば、別途にステー用の取付け台等を付設する必要がなく、構造簡素にして安価に提供することができる。
【図面の簡単な説明】
【図１】  自動ドアの設置構成を示す正面図である。
【図２】  本発明装置の詳細を示すもので、その（１）は要部の拡大正面図、同（２）は要部平面図である。
【図３】  同装置の全閉保持状態を示し、その（１）は正面図、同（２）は平面図である。
【図４】  本発明装置の他の実施形態を示すもので、その（１）は要部の拡大正面図、同（２）は要部平面図である。
【図５】  同装置の全閉保持状態を示す正面図である。
【符号の説明】
３ａ，３ｂ：ドア                        １４ａ，１４ｂ：上部框
７ａ，７ｂ：ハンガー（懸架部材）        ２０ａ，２０ｂ：ステー
２２ａ，２２ｂ：永久磁石
１０３：ドア                            １１４：上部框
１０７：ハンガー（懸架部材）
１２０ａ，１２０ｂ：ステー              １２２ａ，１２２ｂ：永久磁石
【図１】
0004446365.tif 000002
【図２】
0004446365.tif 000003
【図３】
0004446365.tif 000004
【図４】
0004446365.tif 000005
【図５】
0004446365.tif 000006